(57)【特許請求の範囲】
【請求項１】
第１筐体と、
第２筐体と、
前記第１筐体の表面に配置されたタッチパネルと、
前記第２筐体の表面に配置された表示部と、
前記タッチパネルが露出した状態で前記第１筐体が前記表示部を覆う閉状態と、前記タッチパネルと前記表示部と隣接して露出した開状態とに切り替え可能に前記第１筐体と前記第２筐体とを連結する連結機構と、
前記第２筐体の前記表示部が配置された面の前記表示部に隣接した位置に配置された操作部と、
前記閉状態において、前記第１筐体の前記操作部と重なる領域に配置されたスピーカと、
各部の動作を制御する制御部と、
を有し、
前記操作部は、前記表示部の１つの辺に隣接して配置された第１操作部と、前記表示部の前記１つの辺に対向する辺に隣接して配置された第２操作部と、を有し、
前記第１操作部および前記第２操作部が、それぞれ複数の物理キーを備え、
前記制御部は、前記第１操作部が操作された場合、前記第１操作部と閉状態時に重なる位置の前記スピーカから操作音を出力させる、前記第２操作部が操作された場合、前記第２操作部と閉状態時に重なる位置の前記スピーカから操作音を出力させることを特徴とする携帯電子機器。
【請求項２】
前記タッチパネルは、画像表示領域が長方形形状であり、
前記表示部は、長方形形状であり、
前記連結機構は、前記タッチパネルと前記表示部との短辺方向への前記第１筐体と前記第２筐体とを相対移動により、前記開状態と前記閉状態との切り換えを可能としたことを特徴とする請求項１に記載の携帯電子機器。
【請求項３】
前記操作部は、前記第１操作部がキーボードの一部のキーを有し、前記第２操作部が、前記キーボードの残りのキーを有することを特徴とする請求項１または２に記載の携帯電子機器。
【請求項４】
前記キーボードは、ＱＷＥＲＴＹ配列されたキーボードであることを特徴とする請求項３に記載の携帯電子機器。
【請求項５】
前記操作部は、前記第１操作部および前記第２操作部の一方にテンキー入力が割り当てられており、他方に前記テンキー入力モードの実行が対応付けられたシフトキー入力が割り当てられていることを特徴とする請求項１から４のいずれか一項に記載の携帯電子機器。
【請求項６】
前記第１操作部および前記第２操作部は、背面から前記複数のキーに光を照射するバックライト部を有し、
前記制御部は、前記第１操作部への入力が有効な場合、前記バックライト部により前記第１操作部の前記複数のキーに光を照射し、前記第２操作部への入力が有効な場合、前記バックライト部により前記第２操作部の前記複数のキーに光を照射することを特徴とする請求項１から５のいずれか一項に記載の携帯電子機器。
【請求項７】
前記制御部は、前記閉状態で前記タッチパネルの入力を検出する場合、前記タッチパネルに前記操作部の画像を表示させることを特徴とする請求項１から６のいずれか一項に記載の携帯電子機器。
【請求項８】
前記表示部は、タッチパネルであることを特徴とする請求項１から７のいずれか一項に記載の携帯電子機器。
【発明の詳細な説明】
【技術分野】
【０００１】
本発明は、画像を表示する表示部を備えた携帯電子機器に関する。
【背景技術】
【０００２】
近年、携帯電話機、ＰＤＡ、携帯ゲーム機等、表示部を備える携帯電子機器は、種々の形状、構成の筐体が提案されている。例えば、特許文献１には、第１筐体と第２筐体とを互いに連結して構成され、第１筐体の表面には第１ディスプレイが設置され、第２筐体の表面には第２ディスプレイが設置されると共に、該第２ディスプレイの少なくとも一部の表面を覆って、第２入力用タッチパネルが設置されている携帯通信端末機（携帯電子機器）が記載されている。この第１筐体と第２筐体は、第１筐体の表面に第２筐体の裏面を重ね合わせた閉じ位置と、第１ディスプレイの表面と第２ディスプレイの表面とを同一平面上に揃えると共に、両ディスプレイを互いに接近させた開き位置との間で、互いに相対移動可能である。
【先行技術文献】
【特許文献】
【０００３】
【特許文献１】特開２００９−７１５８８号公報
【発明の概要】
【発明が解決しようとする課題】
【０００４】
特許文献１に記載された携帯電子機器では、閉状態で第１筐体の表示部が露出し、開状態で、第１筐体の表示部と第２筐体の表示部とが同一面側に露出した構造とすることで、用途に応じて使い分けることができ、大画面での使用が可能となる。
【０００５】
特許文献１に記載された携帯電子機器は、２つの筐体のそれぞれの画面をつなぎ１つの大きな画面として使用することができるが、略全面が画面であるため、使用時に持ちにくい。また、タッチパネル操作で入力を行うため、操作時は、画面の一部を入力画面として使用することになり操作が面倒な場合がある。
【０００６】
本発明は、上記に鑑みてなされたものであって、大画面に画像を表示でき、操作性が高く、持ちやすい携帯電子機器を提供することを目的とする。
【課題を解決するための手段】
【０００７】
上述した課題を解決し、目的を達成するために、本発明は、第１筐体と、第２筐体と、前記第１筐体の表面に配置されたタッチパネルと、前記第２筐体の表面に配置された表示部と、前記タッチパネルが露出した状態で前記第１筐体が前記表示部を覆う閉状態と、前記タッチパネルと前記表示部と隣接して露出した開状態とに切り替え可能に前記第１筐体と前記第２筐体とを連結する連結機構と、前記第２筐体の前記表示部が配置された面の前記表示部に隣接した位置に配置された操作部と、各部の動作を制御する制御部と、を有することを特徴とすることを特徴とする。
【０００８】
ここで、前記タッチパネルは、画像表示領域が長方形形状であり、前記表示部は、長方形形状であり、前記連結機構は、前記タッチパネルと前記表示部との短辺方向への前記第１筐体と前記第２筐体とを相対移動により、前記開状態と前記閉状態との切り換えを可能としたことが好ましい。
【０００９】
また、前記操作部は、前記表示部の１つの辺に隣接して配置された第１操作部と、前記表示部の前記１つの辺に対向する辺に隣接して配置された第２操作部と、を有し、前記第１操作部および前記第２操作部が、それぞれ複数の物理キーを備えることが好ましい。
【００１０】
また、前記閉状態において、前記第１筐体の前記操作部と重なる領域に配置されたスピーカをさらに有することが好ましい。
【００１１】
また、前記制御部は、前記第１操作部が操作された場合、前記第１操作部と閉状態時に重なる位置の前記スピーカから操作音を出力させる、前記第２操作部が操作された場合、前記第２操作部と閉状態時に重なる位置の前記スピーカから操作音を出力させることが好ましい。
【００１２】
また、前記操作部は、前記第１操作部がキーボードの一部のキーを有し、前記第２操作部が、前記キーボードの残りのキーを有することが好ましい。
【００１３】
また、前記キーボードは、ＱＷＥＲＴＹ配列されたキーボードであることが好ましい。
【００１４】
また、前記操作部は、前記第１操作部および前記第２操作部の一方にテンキー入力が割り当てられており、他方に前記テンキー入力モードの実行が対応付けられたシフトキー入力が割り当てられていることが好ましい。
【００１５】
また、前記第１操作部および前記第２操作部は、背面から前記複数のキーに光を照射するバックライト部を有し、前記制御部は、前記第１操作部への入力が有効な場合、前記バックライト部により前記第１操作部の前記複数のキーに光を照射し、前記第２操作部への入力が有効な場合、前記バックライト部により前記第２操作部の前記複数のキーに光を照射することが好ましい。
【００１６】
また、前記制御部は、前記閉状態で前記タッチパネルの入力を検出する場合、前記タッチパネルに前記操作部の画像を表示させることが好ましい。
【００１７】
また、前記表示部は、タッチパネルであることが好ましい。
【発明の効果】
【００１８】
本発明にかかる携帯電子機器は、大画面に画像を表示でき、操作性が高く、持ちやすいという効果を奏する。
【図面の簡単な説明】
【００１９】
【図１】図１は、携帯電子機器の一実施形態の概略構成を示す斜視図である。
【図２】図２は、図１に示す携帯電子機器の他の状態の概略構成を示す斜視図である。
【図３】図３は、図１に示す携帯電子機器の開閉動作中の短手側の側面を示す側面図である。
【図４Ａ】図４Ａは、図１に示す携帯電子機器を示す正面図である。
【図４Ｂ】図４Ｂは、図１に示す携帯電子機器の短手側の側面を示す側面図である。
【図４Ｃ】図４Ｃは、図１に示す携帯電子機器を示す背面図である。
【図４Ｄ】図４Ｄは、図１に示す携帯電子機器の長手側の側面を示す側面図である。
【図５Ａ】図５Ａは、図２に示す携帯電子機器を示す正面図である。
【図５Ｂ】図５Ｂは、図２に示す携帯電子機器の短手側の側面を示す側面図である。
【図５Ｃ】図５Ｃは、図２に示す携帯電子機器を示す背面図である。
【図６Ａ】図６Ａは、図５ＡのＡ−Ａ線断面図である。
【図６Ｂ】図６Ｂは、図５ＡのＢ−Ｂ線断面図である。
【図７】図７は、携帯電子機器の機能の概略構成を示すブロック図である。
【図８】図８は、表示部に表示させる画像の一例を示す説明図である。
【図９】図９は、表示部に表示させる画像の一例を示す説明図である。
【図１０】図１０は、表示部に表示させる画像の一例を示す説明図である。
【図１１】図１１は、携帯電子機器の動作を説明する斜視図である。
【図１２Ａ】図１２Ａは、携帯電子機器の他の実施形態の概略構成を示す斜視図である。
【図１２Ｂ】図１２Ｂは、図１２Ａに示す携帯電子機器の他の状態の概略構成を示す斜視図である。
【図１２Ｃ】図１２Ｃは、図１２Ａに示す携帯電子機器の他の状態の概略構成を示す斜視図である。
【発明を実施するための形態】
【００２０】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。以下においては、携帯電子機器として無線通信機能を備えた携帯電話機を例として説明するが、本発明の適用対象は携帯電話機に限定されるものではなく、例えば、ＰＨＳ（Personal  Handy-phone  System）、ＰＤＡ、ポータブルナビゲーション装置、ポータブルゲーム機等に対しても本発明は適用できる。
【００２１】
まず、図１から図６Ｂを用いて、携帯電子機器１の外観を説明する。図１は、携帯電子機器の一実施形態の概略構成を示す斜視図である。図２は、図１に示す携帯電子機器の他の状態の概略構成を示す斜視図である。また、図３は、図１に示す携帯電子機器の開閉動作中の短手側の側面を示す側面図である。図４Ａは、図１に示す携帯電子機器を示す正面図であり、図４Ｂは、図１に示す携帯電子機器の短手側の側面を示す側面図であり、図４Ｃは、図１に示す携帯電子機器を示す背面図であり、図４Ｄは、図１に示す携帯電子機器の長手側の側面を示す側面図である。また、図５Ａは、図２に示す携帯電子機器を示す正面図であり、図５Ｂは、図２に示す携帯電子機器の短手側の側面を示す側面図であり、図５Ｃは、図２に示す携帯電子機器を示す背面図である。また、図６Ａは、図５ＡのＡ−Ａ線断面図であり、図６Ｂは、図５ＡのＢ−Ｂ線断面図である。
【００２２】
携帯電子機器１は、図１から図３に示すように、筐体２が、第１筐体３と、第２筐体４と、連結機構５とで構成される。なお、図１は、携帯電子機器１の筐体２を第１の状態（閉状態）をした場合を示しており、図２は、携帯電子機器１の筐体２を第２の状態（開状態）とした場合を示している。また、図３は、携帯電子機器１の筐体２を第１の状態と第２の状態との間の状態とした場合を示している。
【００２３】
第１筐体３は、細長い板状形状、つまり一定の厚みを備えた長方形形状である。第２筐体４も、細長い板状形状、つまり一定の厚みを備えた長方形形状である。以下では、第１筐体３の表面のうち面積が最も広い面（長方形形状の面）のうち一方側の面を正面３Ａとし他方側の面を背面３Ｂとする。第１筐体３の表面のうち一定の厚みとなる面（正面と背面に挟まれた面）を側面とする。また、第２筐体４の表面のうち面積が最も広い面（長方形形状の面）のうち一方側の面を正面４Ａとし他方側の面を背面４Ｂとする。また、第１筐体３の表面のうち一定の厚みとなる面（正面と背面に挟まれた面）を側面とする。ここで、第１筐体３と第２筐体４とは、図１に示すように、第１の状態のとき第１筐体３の背面３Ｂと、第２筐体４の正面４Ａとが向かい合い、第２の状態のときに第１筐体３の正面３Ａと、第２筐体４の正面４Ａとが同じ方向を向く。また、第１筐体３の背面３Ｂと、第２筐体４の正面４Ａとが略同一の大きさである。
【００２４】
連結機構５は、第１筐体３と第２筐体４とを相対的に移動可能な状態で連結している。連結機構５は、図３に示すように板状の部材であり、一方の端面が第１筐体３の背面３Ｂの短手方向の中央付近と連結しており、他方の端面が第２筐体４の正面４Ａの短手方向の端部と連結している。また、連結機構５は、第１筐体３、第２筐体４のそれぞれの連結部が図３の紙面上下方向（第１筐体３の正面３Ａの長手方向）と平行な軸周りに回動可能な状態で連結している。
【００２５】
連結機構５は、図３に示す板状部材の第１の面５Ａを第１筐体３の背面３Ｂと対面させ、第１の面５Ａの反対側の第２の面５Ｂを第２筐体４の正面４Ａと対面させた状態とすることで、図１に示すように第１筐体３の背面３Ｂと第２筐体４の正面４Ａとが重なった第１の状態とする。また、連結機構５は、図３に示す板状部材の第２の面５Ｂを第１筐体３の背面３Ｂと対面させることで、図２に示すように第１筐体３の側面と第２筐体４の側面とが対面している第２の状態とする。なお、この時第１の面５Ａは、露出した状態となる。つまり、連結機構５は、連結部のいずれかを支点として板状部材を１８０度回転させることで、第１の状態と第２の状態とを切り換える。
【００２６】
筐体２は、第１の状態では、図１および図４Ａから図４Ｄに示すように、第１筐体３の背面３Ｂと第２筐体４の正面４Ａが向かい合い、第２筐体４の正面４Ａが第１筐体３の背面３Ｂによって隠される。これにより、筐体２は、第１の状態では、第１筐体３の正面３Ａと第２筐体４の背面４Ｂと、第１筐体３の側面と、第２筐体４の側面が外部に露出した状態となる。また、連結機構５は、第１筐体３の背面３Ｂと第２筐体４の正面４Ａとの間に挟まれ、隠れた状態となる。つまり、筐体２は、閉状態のとき第１筐体３の背面３Ｂと第２筐体４の正面４Ａとが対面して全域が重なった状態となる。なお、第２筐体４は、側面の連結機構と連結している領域が凹部４Ｃとなっているため、図４Ｃに示すように連結機構５の第２筐体４との連結部分は、外部に露出している。
【００２７】
次に、筐体２は、第２の状態では、図２および図５Ａから図５Ｃに示すように、第１筐体３の側面のうち長手方向の一面と、第２筐体４の側面のうち長手方向でかつ連結機構５と連結している一面と、が対面している。第１筐体３の正面３Ａと第２筐体４の正面４Ａが同じ方向を向いて略同一平面上に配置され、第１筐体３の背面３Ｂと第２筐体４の背面４Ｂが同じ方向を向いて略同一平面上に配置される。これにより、筐体２は、第２の状態では、第１筐体３の正面３Ａおよび背面３Ｂと第２筐体４の正面４Ａおよび背面４Ｂが外部に露出した状態となる。また、連結機構５は、第１筐体３の背面３Ｂで外部に露出した状態となる。
【００２８】
ここで、図１から図５Ｃに示すように第１筐体３の背面３Ｂには、凹部３Ｃが形成されており、連結機構５は、第１の状態と第２の状態のいずれの場合も凹部３Ｃに収納される。このため、連結機構５は、図５Ｂに示すように第２の状態では、短手方向の側面からは見えない状態となる。また、凹部３Ｃに収納されることで、第１の状態でも第１筐体３の背面３Ｂの凹部３Ｃ以外の領域と第２筐体４の正面４Ａとを近接させることができる。
【００２９】
次に、図１から図５Ｃを用いて第１筐体３および第２筐体４に設けられた携帯電子機器１の各部について説明する。なお、以下の説明では主に図２および図５Ａを用いて説明する。第１筐体３の正面３Ａには、第１タッチパネル１２と、マイク１６と、レシーバ１７と、２つのスピーカ１８と、が配置されている。第１タッチパネル１２は、正面３Ａの短手方向が短辺となり、正面３Ａの長手方向が長辺となる長方形形状である。第１タッチパネル１２は、正面３Ａの短手方向の略全域、長手方向の中心の一定領域に配置されている。マイク１６は、正面３Ａの長手方向の一方の端に配置されて、レシーバ１７は、正面３Ａの長手方向の一方の端に配置されている。２つのスピーカ１８は、それぞれ正面３Ａの長手方向の両端に配置されている。つまり、１つのスピーカ１８は、第１タッチパネル１２の一方の短辺に隣接してマイク１６と同じ領域に配置され、もう１つのスピーカ１８は、第１タッチパネル１２の他方の短辺に隣接してレシーバ１７と同じ領域に配置されている。
【００３０】
第２筐体４の正面４Ａには、第２タッチパネル１３と、第１操作部１４と、第２操作部１５と、が配置されている。第２タッチパネル１３は、正面４Ａの短手方向が短辺となり、正面４Ａの長手方向が長辺となる長方形形状である。第２タッチパネル１３は、正面４Ａの短手方向の略全域、長手方向の中心の一定領域に配置されている。第１操作部１４は、正面４Ａの長手方向の一方の端部、つまり、第２タッチパネル１３の一方の短辺一に隣接して配置されている。第２操作部１５は、正面４Ａの長手方向の他方の端部、つまり第２タッチパネル１３の他方の短辺に隣接して配置されている。
【００３１】
ここで、第１タッチパネル１２および第２タッチパネル１３は、文字、図形、画像等を表示するとともに、利用者が指やスタイラス等（以下、単に「指」という）を用いて当該タッチパネルに対して行う各種操作を検出する。つまり、第１タッチパネル１２および第２タッチパネル１３は、画像を表示する機能（表示部）と、操作を検出する機能（操作部）との２つの機能を有する。
【００３２】
第１操作部１４と第２操作部１５は、それぞれ複数のキー（物理キー）を有するキーボードである。第１操作部１４と第２操作部１５は、両者のキーを合わせることで１つのＱＷＥＲＴＹ配列されたキーボードとなる。つまり、第１操作部１４と第２操作部１５は、ＱＷＥＲＴＹ配列されたキーボードを２つに分割し、一方を第１操作部１４のキーとし、他方を第２操作部１５のキーとしたものである。また、第１操作部１４には、ファンクションキーが設けられている。第２操作部１５のＱＷＥＲＴＹ配列されたキーの一部には、テンキーも割り当てられている。
【００３３】
マイク１６は、携帯電子機器１の通話時等に音声を受け取る部分である。レシーバ１７および２つのスピーカ１８は、通話時、動画観賞時、音楽再生時等に、音声、音を出力する。なお、本実施形態では、２つのスピーカ１８を、第１タッチパネル１２の両端に配置する構成であるため、ステレオで音声を出力することが可能である。
【００３４】
次に、図６Ａおよび図６Ｂを用いて携帯電子機器１の内部構造について説明する。図６Ａおよび図６Ｂに示すように第１筐体３の内部には、第１タッチパネル１２と、スピーカ１８と、回路基板１９Ａと、が配置されている。また、図示していないが、第１筐体３の内部には、さらにマイク１６とレシーバ１７とが配置されている。また、第２筐体４の内部には、第２タッチパネル１３と、第２操作部１５と、回路基板１９Ｂと、バッテリ３４と、が配置されている。なお、図示していないが、第２筐体４の内部には第１操作部１４がさらに配置されている。
【００３５】
回路基板１９Ａ、１９Ｂは、後述する制御部２２、記憶部２４等の機能を持つ電子部品、例えばＣＰＵ、メモリ等が設置されている基板であり、それぞれ第１タッチパネル１２、第２タッチパネル１３よりも背面３Ｂ、４Ｂ側に配置されている。バッテリ３４は、第２筐体４のタッチパネル１３と第２操作部１４よりも背面４Ｂ側に配置されている。
【００３６】
次に、携帯電子機器１の機能と制御部との関係を説明する。図７は、図１に示す携帯電子機器の機能の概略構成を示すブロック図である。図７に示すように携帯電子機器１は、制御部２２と、記憶部２４と、通信部２６と、操作ユニット２８と、音声処理部３０と、表示ユニット３２と、表示制御部３３と、バッテリ３４と、を有する。携帯電子機器１は、音声処理部３０と接続したマイク１６、レシーバ１７、スピーカ１８も有する。
【００３７】
制御部２２は、携帯電子機器１の全体的な動作を統括的に制御する処理部、例えばＣＰＵ（Central  Processing  Unit）である。すなわち、携帯電子機器１の各種の処理が、操作ユニット２８の操作や携帯電子機器１の記憶部２４に保存されるソフトウェアに応じて適切な手順で実行されるように、通信部２６、表示ユニット３２等の動作を制御する。制御部２２は、記憶部２４に保存されているプログラム（例えば、オペレーティングシステムプログラム、アプリケーションプログラム等）に基づいて処理を実行する。
【００３８】
記憶部２４には、制御部２２での処理に利用されるソフトウェアやデータが保存されている。例えば、記憶部２４には、表示ユニット３２に表示させる画像を制御するプログラムや、メールの送受信を実行するためのプログラムが保存されている。さらに、記憶部２４には、プログラム以外の各種データも記憶されている。例えば、記憶部２４には、各種設定条件や、アドレス帳や、文字変換に用いる辞書データ、表示ユニット３２に表示させる動画データ等が保存されている。
【００３９】
通信部２６は、アンテナ２６ａを介して、基地局によって割り当てられるチャネルを介し、基地局との間でＣＤＭＡ方式などによる無線信号回線を確立し、基地局との間で電話通信および情報通信を行う。
【００４０】
操作ユニット２８は、第１タッチパネル１２、第２タッチパネル１３、第１操作部１４、第２操作部１５と、で構成される。操作ユニット２８は、これらのタッチパネルまたは操作部がユーザの操作により入力されると、その操作内容を制御部２２へ入力する。
【００４１】
音声処理部３０は、マイク１６に入力される音声信号やレシーバ１７およびスピーカ１８から出力される音声信号の処理を実行する。
【００４２】
表示ユニット３２は、上述したように、第１タッチパネル１２と第２タッチパネル１３とを有する。表示ユニット３２の第１タッチパネル１２と第２タッチパネル１３は、制御部２２から表示制御部３３を介して供給される映像データに応じた映像、画像データに応じた画像を表示装置に表示させる。バッテリ３４は、制御部２２等、携帯電子機器１の各部に電力を供給する電力源である。
【００４３】
携帯電子機器１は、以上のような構成であり、第１の状態（閉状態）では、第１タッチパネル１２が外部に露出し、第２タッチパネル１３、第１操作部１４、第２操作部１５が第１筐体３によって覆い隠され、第２の状態（開状態）では、第１タッチパネル１２、第２タッチパネル１３、第１操作部１４、第２操作部１５が、外部に露出する。
【００４４】
第１の状態は、利用者が携帯電子機器１を持ち運ぶのに適した状態であり、この状態でも利用者は、第１タッチパネル１２に表示される情報を参照したり、第１タッチパネル１２を指で操作して情報を入力したりすることができる。第２の状態は、利用者が携帯電子機器１を利用するのに適した状態であり、利用者は、第１タッチパネル１２と第２タッチパネル１３とを併用して、より多くの情報を参照することができる。
【００４５】
また、携帯電子機器１は、第２タッチパネル１３の両端にそれぞれ第１操作部１４と第２操作部１５とを有するため、開状態の際にユーザは第１操作部１４と第２操作部１５が配置されている領域を持って筐体２を保持することができる。これにより、ユーザは、第１タッチパネル１２、第２タッチパネル１３に触れることなく筐体２を簡単に保持することができる。また、第１操作部１４と第２操作部１５とで、操作を入力することができるため、ユーザの携帯電子機器１に対する把持によって隠れる正面４Ａにおける領域を有効に活用することができる。
【００４６】
また、ＱＷＥＲＴＹ配列されたキーで構成される第１操作部１４と第２操作部１５とを有するため、第１タッチパネル１２および第２タッチパネル１３にキーボードなどの文字入力のためのユーザインターフェースを表示させずに文字入力が可能となり、第１タッチパネル１２および第２タッチパネル１３の表示領域をより有効に活用することができる。また、物理キーである第１操作部１４と第２操作部１５で入力を検出することで、タッチパネルを用いる場合よりも入力の誤検出を低減することができ、より迅速に操作を入力することができる。
【００４７】
ここで、図８および図９は、それぞれ表示部に表示させる画像の一例を示す説明図である。例えば、携帯電子機器１は、図８に示すように、第１タッチパネル１２に画像４２を表示させた状態で、第２タッチパネル１３に項目４３と文字入力欄４４とボタン４６とを表示させた状態で文字入力が可能となる。これにより、第１タッチパネル１２に画像４２として映像を再生させつつ、第２タッチパネル１３でメール作成画面を表示させることができる。この場合も第１操作部１４と第２操作部１５とで文字入力が可能であるため、第１タッチパネル１２および第２タッチパネル１３にキーボード以外の必要な情報をより大きく表示させることができる。
【００４８】
また、携帯電子機器１のユーザは、図９に示すように、第１タッチパネル１２と第２タッチパネル１３とを１つの大画面として用いつつ、文字入力等の操作が可能となる。ここで、図９は、第１タッチパネル１２に文字入力画面５０と、コメント５２とを表示させ、第２タッチパネル１３に、コメント５４、５６、５８を表示させている。なお、文字入力画面５０と、コメント５２、コメント５４、５６、５８とは、Ｗｅｂページ等から取得した１つの画面である。このように、第１タッチパネル１２と第２タッチパネル１３とを１つの大画面として用いる場合でもキーボード等の操作入力画面を表示する必要がないため、第１タッチパネル１２および第２タッチパネル１３により多くの情報を表示させることができる。
【００４９】
また、携帯電子機器１は、第２タッチパネル１３の両端のそれぞれに第１操作部１４と第２操作部１５とを設けることで、つまり、物理キーで構成された操作部を２つに分けることで、両手での入力が可能となる。つまり、ユーザは、第２筐体４の長手方向の両端をそれぞれの手で保持しながら、左手（主に左手の親指）で第１操作部１４を操作し、右手（主に右手の親指）で第２操作部１５を操作することができる。これにより、操作の入力に両手が使えるためより高速で操作（例えば文字入力）が可能となる。また、ユーザは、両手で筐体２を保持しつつ操作できるため、バランスよく持つことができ、一方の手に負荷が集中することを抑制できる。
【００５０】
また、第１操作部１４と第２操作部１５として、ＱＷＥＲＴＹ配列されたキーを用いることで、上述したように簡単に文字を入力することができる。また第１操作部１４と第２操作部１５をＱＷＥＲＴＹ配列されたキーを２つに分割した構成とすることで、ユーザは一般的に入力に慣れているキーボードと同様に文字入力機構を用いて文字を入力することができる。また、ＱＷＥＲＴＹ配列されたキーは、一般的に右手で入力するキーと左手と入力するキーとが分かれているため、その境界に基づいてキーボードを２つに分割することで、普段入力している手でそれぞれのキーを操作することができる。
【００５１】
なお、上記効果を得ることができるため、第１操作部１４と第２操作部１５には、ＱＷＥＲＴＹ配列されたキーを用いることが好ましいがこれに限定されない。ここで、第１操作部１４と第２操作部１５として、ＱＷＥＲＴＹ配列以外の文字入力が可能なキーボードを設けることで、画面へのキーボードの表示を省略することが可能となる。例えば、キーとしては、母音キーと子音キーとを分けたキーボードを用いることができる。また、第１操作部１４と第２操作部１５には、文字入力可能なキーを設けることが好ましいが、テンキーや方向キーのみを設けた構成とすることもできる。また、第１操作部１４と第２操作部１５には、押下を操作として検出する操作部以外の構成、例えば、クリックボール等のポインタデバイスも用いることができる。また、両手での操作が可能となるため、第２タッチパネル１３の両側のそれぞれに操作部を設けることが好ましいがいずれか一方でもよい。
【００５２】
また、携帯電子機器１は、第１操作部１４にファンクションキーを設け、第２操作部１５のＱＷＥＲＴＹ配列されたキーの一部にテンキーも割り当てることで、数字の入力時に、左手でファンクションキーを押しつつ、右手でテンキーも割り当てられたキーを押下することで数値入力をすることができる。これにより、テンキーのためのキーを設ける必要がなくなるため、第１操作部１４および第２操作部１５に配置するキーの数を減らすことができる。また、ファンクションキーと、テンキーを割り当てたキーと、を別々の操作部に設けることで、一方の手でファンクションキーを押しながら、他方の手で連続して数字を入力することができる。これにより、ユーザは簡単に数字を入力することができる。なお、本実施形態では、第１操作部１４にファンクションキーを設け、第２操作部１５のＱＷＥＲＴＹ配列されたキーの一部にテンキーも割り当てたが、第１操作部１４と第２操作部１５との一方に数字を入力するモードへの変更の操作が割り当てられたキーを設け、他方に当該モードの起動時にテンキー入力（数字の入力）が割り当てられたキーを設ければよい。
【００５３】
また、携帯電子機器１は、閉状態の時に第１操作部１４および第２操作部１５のそれぞれに重なる領域にスピーカ１８を配置することで、開状態とした時に、正面３Ａ、４Ａの長手方向における第１タッチパネル１２、第２タッチパネル１３の大きさを同じ大きさにしつつ、効率よくスペースを利用することができる。これにより、開状態のデザイン性も高くすることができる。
【００５４】
なお、携帯電子機器１は、第１操作部１４および第２操作部１５の少なくとも一方が操作された場合、操作が入力された第１操作部１４および第２操作部１５の少なくとも一方と閉状態時に重なる位置のスピーカ１８から操作音を出力させることが好ましい。つまり、第１操作部１４が操作された場合、第１操作部１４に隣接したスピーカ１８（閉状態において第１操作部１４と重なるスピーカ１８）から操作音を出力させ、第２操作部１５に隣接したスピーカ１８（閉状態において第２操作部１５と重なるスピーカ１８）から操作音を出力させることが好ましい。これにより、入力した操作をより直感的に理解することができる。
【００５５】
第１操作部１４および第２操作部１５は、背面から複数のキーに光を照射するバックライト部をそれぞれ有することが好ましい。また、この場合、制御部２２は、第１操作部１４への入力が有効な場合、第１操作部１４に設けられたバックライト部により第１操作部１４の複数のキーに光を照射し、第２操作部１５への入力が有効な場合、第２操作部１５に設けられたバックライト部により第２操作部１５の複数のキーに光を照射することが好ましい。これにより、操作の入力が有効なキーを容易に把握することができる。
【００５６】
また、制御部２２は、閉状態で第１タッチパネル１２の入力を検出する場合、第１タッチパネル１２に第１操作部１４および第２操作部１５の画像を表示させることが好ましい。ここで、図１０は、表示部に表示させる画像の一例を示す説明図である。つまり、図１０に示すように第１タッチパネル１２に、第１操作部１４の複数のキーと同様の構成のキー群８２と、第２操作部１５の複数のキーと同様の構成のキー群８４と、を表示させることが好ましい。なお、制御部２２は、キー群８２とキー群８４のそれぞれのキーがタッチされたら、タッチされたキーを入力として検出する。このように、閉状態時に第１タッチパネル１２で操作を入力する場合に、第１操作部１４および第２操作部１５（つまり隠れているタッチパネル以外の操作部）と同様の操作部の画像を表示させ、操作を入力することで、閉状態時と開状態時の操作感を統一することができ、閉状態時と開状態時とで同様の入力が可能となる。
【００５７】
なお、筐体２は、本実施形態のように、開状態時に対面する第１筐体３の側面と第２筐体４の側面とを対面時に傾斜角が一定となる傾斜を有することが好ましい。このように側面を傾斜面とすることで、開状態に第１筐体３と第２筐体４とが長手方向を回転軸として回転することを抑制することができる。また、第１タッチパネル１２と第２タッチパネル１３とは、本実施形態のように、正面３Ａと正面４Ａとの長手方向における端部の位置が同じ位置となることが好ましい。これにより、開状態の際に、第１タッチパネル１２と第２タッチパネル１３とを１つの大きな画面として見やすくすることができる。
【００５８】
ここで、図１１は、携帯電子機器の動作を説明する斜視図である。携帯電子機器１は、図１１に示すように、開状態時に第２筐体４に対する第１筐体３の位置を第１筐体３´の位置（正面３Ａと正面４Ａとのなす角が１８０度未満）でも支持可能な構造にすることが好ましい。このように、開状態時における正面３Ａ、４Ａの長手方向に平行な軸周りの第１筐体３と第２筐体４との角度を調整可能とすることで、ユーザの見やすい角度で画像を表示させることができる。
【００５９】
次に図１２Ａから図１２Ｃを用いて、第１筐体と第２筐体とを連結する連結機構の他の実施形態について説明する。図１２Ａは、携帯電子機器の他の実施形態の概略構成を示す斜視図であり、図１２Ｂは、図１２Ａに示す携帯電子機器の他の状態の概略構成を示す斜視図であり、図１２Ｃは、図１２Ａに示す携帯電子機器の他の状態の概略構成を示す斜視図である。図１２Ａから図１２Ｃに示す携帯電子機器１００は、筐体１０２が第１筐体１０３と、第２筐体１０４と、連結機構１０５と、で構成される、第１筐体１０３と第２筐体１０４とは、それぞれ第１筐体３と第２筐体４と同様の構成である。つまり、第１筐体１０３の正面には、第１タッチパネル１２と２つのスピーカ１８とが配置され、第２筐体１０４の正面には、第２タッチパネル１３と第１操作部１４と第２操作部１５とが配置されている。また、同様にマイク、レシーバも配置されている。
【００６０】
次に、連結機構１０５は、係合部材１５０と溝１５２とで構成される。係合部材１５０は、一方の端部が第１筐体１０３の短辺側の側面の短手方向の端部に回動自在の状態で支持されており、他方の端部が、第２筐体１０４の短辺側の側面に形成された溝１５２に移動可能な状態で挿入されている。溝１５２は、第２筐体１０４の短辺側の側面に形成されており、第２筐体１０４の正面の短手方向に延在している。筐体１０２は、以上のような構成であり、図１２Ａに示すように閉状態の第１筐体１０３と第２筐体１０４とを、図１２Ｂに示すように第１筐体１０３の正面の短手（短辺）方向に相対的に移動させることができる。その後、第１筐体１０３の背面と第２筐体１０４の正面とが重ならない位置まで移動させた後、係合部材１５０を回動させることで、図１２Ｃに示すように、第１筐体１０３の正面と第２筐体１０４の正面とが略同一平面となる位置に移動した開状態とすることができる。
【００６１】
以上のように、携帯電子機器１００のような連結機構１０５を有する筐体１０２の構造としても第２タッチパネル１３の両端に第１操作部１４と第２操作部１５とを設けることで上記と同様の効果を得ることができる。
【００６２】
ここで、携帯電子機器は、上記実施形態のように、第１筐体と第２筐体とを第１筐体の正面の短手方向に相対的に移動する構成とすることが好ましい。これにより、開状態時に２つのタッチパネルを合わせた形状のアスペクト比をより小さくすることができる。また、２つのタッチパネルは、第１筐体と第２筐体とのそれぞれの正面の長手方向が長辺となる形状とすることが好ましい。これにより、開状態時に２つのタッチパネルをつなげる際に長辺同士が隣接する構造となり、２つのタッチパネルを合わせた形状のアスペクト比をより小さくすることができる。つまり、視認性のよい大画面を形成することが可能となる。
【００６３】
また、携帯電子機器は、上記の２つの実施形態のように、２つの表示部が隣接して表示される開状態において、第１筐体の画像を表示する面と第２筐体の画像を表示する面とが同一平面、略面一になる構造、つまり開状態で、第１筐体の側面と第２筐体の側面とが向かい合う構造とすることが好ましい。これにより、２つの表示部（タッチパネル）に画像を表示させたときに２つの表示部の境界をより近づけることができ、より違和感の無い状態で表示させることができる。
【００６４】
上記効果を得ることができるため、携帯電子機器は、開状態で第１筐体の側面と第２筐体の側面とが向かい合う構造とすることが好ましいが、これに限定されない。携帯電子機器は、開状態で、第１筐体の画像を表示する面と第２筐体の画像を表示する面とに段差がある形状としてもよい。例えば、携帯電子機器は、開状態で第１筐体の背面（表示部が配置されている面とは反対側の面）の一部と、第２筐体の正面（表示部が配置されている面）とが対面して重なった状態となる構造としてもよい。また、携帯電子機器としては、第１筐体と第２筐体とが分離する構造も用いることができる。つまり、連結機構として、第１筐体と第２筐体の少なくとも一方を着脱することができる連結機構を用いることもできる。
【００６５】
また、上記実施形態では、より操作が入力しやすくなるため、第２筐体にもタッチパネルを設けたが第２筐体の表示部は、操作ユニットの機能を備えていない表示部としてもよい。つまり、タッチセンサーを備えない表示部としてもよい。
【符号の説明】
【００６６】
１  携帯電子機器
２  筐体
３  第１筐体
４  第２筐体
５  連結部
１２  第１タッチパネル
１３  第２タッチパネル
１４  第１操作部
１５  第２操作部
１６  マイク
１７  レシーバ
１８  スピーカ
１９Ａ、１９Ｂ  回路基板
２２  制御部
２４  記憶部
２６  通信部
２８  操作ユニット
３０  音声処理部
３２  表示ユニット
３３  表示制御部
３４  バッテリ
４２  画像
４３  項目
４４  文字入力欄
４６  ボタン
５２、５４、５６、５８  コメント
【図１】
0005694757.tif 000002
【図２】
0005694757.tif 000003
【図３】
0005694757.tif 000004
【図４Ａ】
0005694757.tif 000005
【図４Ｂ】
0005694757.tif 000006
【図４Ｃ】
0005694757.tif 000007
【図４Ｄ】
0005694757.tif 000008
【図５Ａ】
0005694757.tif 000009
【図５Ｂ】
0005694757.tif 000010
【図５Ｃ】
0005694757.tif 000011
【図６Ａ】
0005694757.tif 000012
【図６Ｂ】
0005694757.tif 000013
【図７】
0005694757.tif 000014
【図８】
0005694757.tif 000015
【図９】
0005694757.tif 000016
【図１０】
0005694757.tif 000017
【図１１】
0005694757.tif 000018
【図１２Ａ】
0005694757.tif 000019
【図１２Ｂ】
0005694757.tif 000020
【図１２Ｃ】
0005694757.tif 000021